(57)【要約】【課題】照明負荷への電力供給を開始する際の、意図しない閃光現象の発生を抑制した点灯装置及び照明装置が提供される。【解決手段】実施形態によれば、電力供給部と信号生成部と駆動回路と信号制御部とを備えた点灯装置が提供される。電力供給部は、スイッチング素子を含み、照明負荷に接続され、スイッチング素子のスイッチングにより、入力された電力を照明負荷に対応した直流電力に変換し、直流電力を照明負荷に供給する。信号生成部は、入力された調光信号に応じた明るさで照明負荷を点灯させるための制御信号を生成する。駆動回路は、制御信号に応じてスイッチング素子のスイッチングを制御する。信号制御部は、駆動回路がスイッチング素子のスイッチングを開始するタイミングから所定時間が経過するまで、制御信号を前記制御信号の最大値未満に設定する。【選択図】図１
2015144076.tif 000002
【特許請求の範囲】
【請求項１】
スイッチング素子を含み、照明負荷と電気的に接続され、前記スイッチング素子のスイッチングにより、入力された電力を前記照明負荷に対応した直流電力に変換し、前記直流電力を前記照明負荷に供給する電力供給部と、
調光信号が入力される第１入力端子と、出力端子と、を含み、前記調光信号に応じた明るさで前記照明負荷を点灯させるための制御信号を生成し、前記制御信号を前記出力端子から出力する信号生成部と、
前記出力端子と電気的に接続され、前記信号生成部から入力された前記制御信号に応じて前記スイッチング素子のスイッチングを制御する駆動回路と、
前記駆動回路が前記スイッチング素子のスイッチングを開始するタイミングから所定時間が経過するまで、前記制御信号を前記制御信号の最大値未満に設定する信号制御部と、
を備えた点灯装置。
【請求項２】
前記信号制御部は、
前記出力端子と電気的に接続され、オン状態の時に、前記制御信号の電位を前記最大値未満となる所定の電位に設定する切替スイッチと、
前記タイミングから前記所定時間が経過するまで、前記切替スイッチをオン状態にする制御回路と、
を含む請求項１記載の点灯装置。
【請求項３】
前記電力供給部は、インダクタとダイオードとをさらに含むチョッパ回路であり、
前記信号生成部は、前記照明負荷に流れる負荷電流の検出電圧が入力される第２入力端子をさらに含み、前記調光信号と前記検出電圧とを基に、前記制御信号を生成し、
前記信号制御部は、
前記インダクタと磁気結合した二次巻き線と、
前記二次巻き線と前記第２入力端子との間に電気的に接続された微分回路と、
を含む請求項１記載の点灯装置。
【請求項４】
前記電力供給部は、インダクタとダイオードとをさらに含むチョッパ回路であり、
前記信号制御部は、
オン・オフの切替に用いられる制御電極を有し、前記出力端子と電気的に接続され、オン状態の時に、前記制御信号の電位を前記最大値未満となる所定の電位に設定する切替スイッチと、
前記インダクタと磁気結合した二次巻き線と、
前記二次巻き線と前記制御電極との間に電気的に接続された微分回路と、
を含む請求項１記載の点灯装置。
【請求項５】
照明負荷と、
請求項１〜４のいずれか１つに記載の点灯装置と、
を備えた照明装置。
【発明の詳細な説明】
【技術分野】
【０００１】
本発明の実施形態は、点灯装置及び照明装置に関する。
【背景技術】
【０００２】
ＬＥＤなどの光源を有する照明負荷に接続して用いられる点灯装置がある。照明負荷と点灯装置とを含む照明装置がある。点灯装置は、商用電源などから供給される電力を、照明負荷に対応した電力に変換し、変換後の電力を照明負荷に供給する。これにより、点灯装置は、照明負荷の光源を点灯させる。
【０００３】
また、点灯装置では、外部から入力された信号に基づいて、照明負荷から発せられる光の明るさを調節する、いわゆる調光が行われている。こうした点灯装置では、照明負荷への電力供給を開始する際に、設定された明るさよりも高い輝度で照明負荷が一時的に点灯する閃光現象が生じてしまう場合がある。こうした閃光現象は、利用者に不快感を与えてしまう。このため、点灯装置では、電力供給開始時の意図しない閃光現象の発生を抑制することが望まれる。
【先行技術文献】
【特許文献】
【０００４】
【特許文献１】特許第４６３６１０２号
【発明の概要】
【発明が解決しようとする課題】
【０００５】
本発明の実施形態は、照明負荷への電力供給を開始する際の、意図しない閃光現象の発生を抑制した点灯装置及び照明装置を提供する。
【課題を解決するための手段】
【０００６】
本発明の実施形態によれば、電力供給部と、信号生成部と、駆動回路と、信号制御部と、を備えた点灯装置が提供される。前記電力供給部は、スイッチング素子を含み、照明負荷と電気的に接続され、前記スイッチング素子のスイッチングにより、入力された電力を前記照明負荷に対応した直流電力に変換し、前記直流電力を前記照明負荷に供給する。前記信号生成部は、調光信号が入力される第１入力端子と、出力端子と、を含み、前記調光信号に応じた明るさで前記照明負荷を点灯させるための制御信号を生成し、前記制御信号を前記出力端子から出力する。前記駆動回路は、前記出力端子と電気的に接続され、前記信号生成部から入力された前記制御信号に応じて前記スイッチング素子のスイッチングを制御する。前記信号制御部は、前記駆動回路が前記スイッチング素子のスイッチングを開始するタイミングから所定時間が経過するまで、前記制御信号を前記制御信号の最大値未満に設定する。
【発明の効果】
【０００７】
照明負荷への電力供給を開始する際の、意図しない閃光現象の発生を抑制した点灯装置及び照明装置が提供される。
【図面の簡単な説明】
【０００８】
【図１】第１の実施形態に係る照明装置を模式的に表すブロック図である。
【図２】第２の実施形態に係る照明装置を模式的に表すブロック図である。
【図３】第３の実施形態に係る照明装置を模式的に表すブロック図である。
【発明を実施するための形態】
【０００９】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１０】
（第１の実施形態）  
図１は、第１の実施形態に係る照明装置を模式的に表すブロック図である。  
図１に表したように、照明装置２００は、点灯装置１０と、光源モジュール１００と、を備える。
【００１１】
点灯装置１０は、例えば、交流電源４と電気的に接続される。点灯装置１０には、交流電源４から交流電力が供給される。交流電源４は、例えば、商用電源である。交流電源４は、例えば、自家発電機などでもよい。なお、点灯装置１０に供給される電力は、直流電力などでもよい。点灯装置１０に供給される電力が直流電力である場合は、後述する整流回路２６が省略される。以下では、点灯装置１０に交流電力が供給される場合を例に説明を行う。なお、本願明細書において、「電気的に接続」には、直接接触して接続される場合の他に、他の導電性部材などを介して接続される場合も含む。
【００１２】
点灯装置１０は、光源モジュール１００と電気的に接続される。点灯装置１０は、交流電源４から供給される交流電力を光源モジュール１００に対応した直流電力に変換して光源モジュール１００に供給する。これにより、点灯装置１０は、光源モジュール１００を点灯させる。
【００１３】
光源モジュール１００は、照明負荷１０２と、被接続部１０４と、を含む。被接続部１０４は、点灯装置１０との接続に用いられる。照明負荷１０２は、光源１０６を含む。照明負荷１０２は、例えば、複数の光源１０６を含む。この例では、各光源１０６が、直列に接続されている。各光源１０６は、例えば、並列に接続してもよいし、直列接続と並列接続とを組み合わせてもよい。光源１０６の数は、任意でよい。光源１０６の数は、例えば、１つでもよい。
【００１４】
光源１０６には、例えば、発光ダイオード（Light Emitting Diode：ＬＥＤ）が用いられる。光源１０６は、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでもよい。光源１０６は、例えば、電球などでもよい。以下では、光源１０６をＬＥＤとして説明を行う。
【００１５】
点灯装置１０は、制御部１２と、接続部１４と、電力供給部１６と、を備える。制御部１２は、点灯装置１０の各部を統括的に制御する。接続部１４は、光源モジュール１００との電気的な接続に用いられる。接続部１４は、光源モジュール１００の被接続部１０４に接続される。接続部１４は、被接続部１０４に機械的に取り付けられた状態で、光源モジュール１００との電気的な接続を得る。
【００１６】
この例では、光源モジュール１００が、接続部１４及び被接続部１０４を介して点灯装置１０に着脱自在に接続される。点灯装置１０は、これに限ることなく、配線などによって光源モジュール１００と直接的に接続してもよい。また、点灯装置１０は、照明負荷１０２と直接的に接続してもよい。点灯装置１０は、少なくとも照明負荷１０２と電気的に接続されていればよい。
【００１７】
電力供給部１６は、接続部１４と電気的に接続される。電力供給部１６は、入力された電力を光源モジュール１００に対応した直流電力に変換する。そして、電力供給部１６は、接続部１４に接続された光源モジュール１００に変換後の直流電力を供給する。
【００１８】
点灯装置１０は、例えば、フィルタ回路２４、整流回路２６、突入防止回路２８、電源電圧検出回路３０、力率改善回路３２、平滑コンデンサ３４、制御用電源回路３６、及び、出力コンデンサ３８をさらに含む。
【００１９】
フィルタ回路２４は、交流電源４と電気的に接続される。フィルタ回路２４は、例えば、交流電源４から供給される交流電力に含まれるノイズを抑制する。
【００２０】
整流回路２６は、フィルタ回路２４に電気的に接続される。整流回路２６は、フィルタ回路２４を介して入力された交流電圧を整流して整流電圧に変換する。整流回路２６には、例えば、４つの整流素子を組み合わせたダイオードブリッジが用いられる。すなわち、整流回路２６は、全波整流器である。整流電圧は、例えば、脈流電圧である。
【００２１】
整流回路２６は、一対の入力端子２６ａ、２６ｂと、高電位出力端子２６ｃと、低電位出力端子２６ｄと、を有する。入力端子２６ａ、２６ｂは、フィルタ回路２４と電気的に接続されている。整流回路２６は、入力端子２６ａ、２６ｂを介して入力される交流電圧を整流電圧に変換し、高電位出力端子２６ｃ及び低電位出力端子２６ｄから出力する。低電位出力端子２６ｄの電位は、基準電位（例えば接地電位）に設定される。高電位出力端子２６ｃの電位は、低電位出力端子２６ｄの電位よりも高い電位に設定される。
【００２２】
整流回路２６は、半波整流器などでもよい。整流電圧は、全波整流された脈流でもよいし、半波整流された脈流でもよい。整流回路２６には、例えば、ショットキーバリアダイオードが用いられる。これにより、例えば、良好な応答性を得ることができる。
【００２３】
突入防止回路２８は、高電位出力端子２６ｃと電気的に接続されている。突入防止回路２８は、電源投入時に生じる突入電流を抑制する。
【００２４】
電源電圧検出回路３０は、突入防止回路２８の出力に接続されている。電源電圧検出回路３０は、例えば、突入防止回路２８の出力と低電位出力端子２６ｄとの間に接続される。電源電圧検出回路３０は、交流電源４から供給される交流電圧の異常を検出する。電源電圧検出回路３０は、例えば、整流回路２６で整流された整流電圧を基に、交流電圧の異常を検出する。電源電圧検出回路３０は、例えば、整流電圧の実効値が所定の範囲内にあるか否かを判定し、所定の範囲内にないときに、交流電圧を異常と判定する。すなわち、電源電圧検出回路３０は、交流電圧の実効値が過度に小さいときや過度に大きいときに、交流電圧を異常とする。
【００２５】
電源電圧検出回路３０は、制御部１２と電気的に接続されている。電源電圧検出回路３０は、交流電圧の異常の検出結果を示す情報を制御部１２に出力する。制御部１２は、電源電圧検出回路３０によって交流電圧の異常が検出されたときに、電力供給部１６に光源モジュール１００への直流電力の供給を停止させる。これにより、例えば、異常な電圧の印加による光源モジュール１００の故障などを抑制することができる。
【００２６】
力率改善回路３２は、突入防止回路２８の出力と低電位出力端子２６ｄとの間に接続される。力率改善回路３２は、整流電圧において、電源周波数の整数倍の高調波の発生を抑制する。これにより、力率改善回路３２は、整流電圧の力率を改善する。
【００２７】
力率改善回路３２は、例えば、スイッチング素子４１と、インダクタ４２と、ダイオード４３と、を含む。スイッチング素子４１は、電極４１ａ〜電極４１ｃを有する。インダクタ４２の一端は、突入防止回路２８の出力（高電位出力端子２６ｃ）と電気的に接続されている。インダクタ４２の他端は、電極４１ａと電気的に接続されている。電極４１ｂは、低電位出力端子２６ｄと電気的に接続されている。ダイオード４３のアノードは、電極４１ａと電気的に接続されている。ダイオード４３のカソードは、平滑コンデンサ３４の一端と電気的に接続されている。平滑コンデンサ３４の他端は、低電位出力端子２６ｄと電気的に接続されている。すなわち、この例において、力率改善回路３２は、昇圧チョッパ回路である。力率改善回路３２は、これに限ることなく、整流電圧の力率を改善することができる任意の回路でよい。
【００２８】
電極４１ｃは、制御部１２と電気的に接続されている。電極４１ｃは、いわゆる制御電極である。スイッチング素子４１は、制御部１２からの信号に応じてスイッチングする。力率改善回路３２は、例えば、スイッチング素子４１をスイッチングさせ、入力電流を正弦波に近づけることにより、力率を改善する。
【００２９】
スイッチング素子４１は、例えば、ｎチャネル形のＦＥＴである。例えば、電極４１ａは、ドレインであり、電極４１ｂは、ソースであり、電極４１ｃは、ゲートである。スイッチング素子４１は、例えば、ｐチャネル形のＦＥＴでもよいし、バイポーラトランジスタなどでもよい。
【００３０】
平滑コンデンサ３４は、力率改善後の脈流電圧を平滑化することにより、脈流電圧を直流電圧に変換する。
【００３１】
制御用電源回路３６は、例えば、平滑コンデンサ３４の高電位側の一端と電気的に接続される。これにより、制御用電源回路３６には、平滑コンデンサ３４によって平滑された直流電圧が入力される。制御用電源回路３６は、平滑コンデンサ３４によって平滑された直流電圧を、制御部１２の駆動電圧に変換して、制御部１２に供給する。制御部１２は、制御用電源回路３６からの電力供給に応じて駆動する。
【００３２】
電力供給部１６は、第１入力端子１６ａと、第２入力端子１６ｂと、第１出力端子１６ｃと、第２出力端子１６ｄと、を有する。第１入力端子１６ａは、平滑コンデンサ３４の高電位側の一端と電気的に接続される。第２入力端子１６ｂは、低電位出力端子２６ｄと電気的に接続される。これにより、電力供給部１６には、直流電圧が供給される。第１出力端子１６ｃは、出力コンデンサ３８の一端と電気的に接続されている。第２出力端子１６ｄは、出力コンデンサ３８の他端と電気的に接続されている。電力供給部１６は、例えば、第１出力端子１６ｃと第２出力端子１６ｄとから第１直流電力及び第２直流電力のいずれか一方を光源モジュール１００に供給する。
【００３３】
電力供給部１６は、例えば、スイッチング素子４５と、ダイオード４６と、インダクタ４７と、を含む。スイッチング素子４５は、電極４５ａと、電極４５ｂと、電極４５ｃと、を含む。電極４５ａは、第１入力端子１６ａと電気的に接続されている。電極４５ｂは、ダイオード４６のカソードと電気的に接続されている。ダイオード４６のアノードは、低電位出力端子２６ｄと電気的に接続されている。インダクタ４７の一端は、電極４５ｂと電気的に接続されている。インダクタ４７の他端は、第１出力端子１６ｃと電気的に接続されている。第２出力端子１６ｄは、低電位出力端子２６ｄと電気的に接続されている。すなわち、第１出力端子１６ｃは、高電位側の出力端子であり、第２出力端子１６ｄは、低電位側の出力端子である。第１出力端子１６ｃの電位は、第２出力端子１６ｄの電位よりも高い。これとは反対に、第２出力端子１６ｄの電位を第１出力端子１６ｃの電位より高くしてもよい。この例において、電力供給部１６は、チョッパ回路である。電力供給部１６は、例えば、降圧チョッパ回路である。電力供給部１６は、例えば、定電流回路である。
【００３４】
電極４５ｃは、制御部１２と電気的に接続されている。電極４５ｃは、いわゆる制御電極である。スイッチング素子４５は、制御部１２からの信号に応じてスイッチングする。制御部１２は、例えば、スイッチング素子４５をスイッチングさせることにより、直流電圧を出力コンデンサ３８の両端に生じさせる。これにより、電力供給部１６から光源モジュール１００に電力が供給される。そして、制御部１２は、例えば、スイッチング素子４５をオフ状態にすることにより、電力供給部１６から光源モジュール１００への電力の供給を停止させる。
【００３５】
スイッチング素子４５は、例えば、ｎチャネル形のＦＥＴである。例えば、電極４５ａは、ドレインであり、電極４５ｂは、ソースであり、電極４５ｃは、ゲートである。スイッチング素子４５は、例えば、ｐチャネル形のＦＥＴでもよいし、バイポーラトランジスタなどでもよい。
【００３６】
電力供給部１６は、上記の回路に限ることなく、直流電力を光源モジュール１００に対して供給可能な任意の回路でよい。
【００３７】
点灯装置１０は、調光回路５０と、信号生成部５２と、切替スイッチ５４と、をさらに含む。
【００３８】
調光回路５０には、例えば、外部の壁スイッチなどから調光信号が入力される。調光信号は、光源モジュール１００の明るさ（調光度）を示す信号である。調光信号は、例えば、調光器などによって導通角制御された交流電圧などでもよい。調光回路５０は、制御部１２と電気的に接続されている。調光回路５０は、調光信号を制御部１２に入力する。調光回路５０は、例えば、外部から入力された調光信号を、制御部１２に応じた形式に変換し、変換後の調光信号を制御部１２に入力する。制御部１２に入力される調光信号は、例えば、調光度に応じたデューティ比のＰＷＭ信号である。
【００３９】
信号生成部５２は、外部から入力された調光信号に応じた明るさで光源モジュール１００の照明負荷１０２を点灯させるための制御信号を生成する。信号生成部５２は、制御部１２と電気的に接続されている。信号生成部５２は、生成した制御信号を制御部１２に出力する。
【００４０】
信号生成部５２は、オペアンプ６０と、電流検出抵抗６２と、抵抗６３〜６６と、を含む。電流検出抵抗６２は、第２出力端子１６ｄと接続部１４の低電位側の端子との間に電気的に接続されている。換言すれば、電流検出抵抗６２は、第２出力端子１６ｄと出力コンデンサ３８の低電位側の端子との間に電気的に接続されている。これにより、電流検出抵抗６２は、照明負荷１０２に流れる負荷電流の検出に用いられる。
【００４１】
オペアンプ６０は、非反転入力端子６０ａ（第１入力端子）と、反転入力端子６０ｂ（第２入力端子）と、出力端子６０ｃと、を含む。
【００４２】
反転入力端子６０ｂは、抵抗６３の一端、及び、抵抗６４の一端に接続されている。抵抗６３の他端は、電流検出抵抗６２と電気的に接続されている。抵抗６４の他端は、整流回路２６の低電位出力端子２６ｄと電気的に接続されている。これにより、反転入力端子６０ｂには、負荷電流に対応した電圧が入力される。
【００４３】
非反転入力端子６０ａは、制御部１２と電気的に接続されている。非反転入力端子６０ａには、制御部１２から調光信号が入力される。非反転入力端子６０ａには、例えば、ＰＷＭ信号をコンデンサで平滑化した直流の電圧が、調光信号として入力される。非反転入力端子６０ａには、例えば、調光度に応じた直流の電圧が、調光信号として入力される。
【００４４】
調光信号の電圧レベルは、反転入力端子６０ｂに入力される負荷電流の検出電圧の電圧レベルに対応して設定される。より詳しくは、例えば、所望の調光度に対応する調光信号の電圧レベルが、その調光度に対応する輝度で光源モジュール１００が点灯した場合の検出電圧の電圧レベルと実質的に同じとなるように設定される。
【００４５】
このように、反転入力端子６０ｂには、負荷電流に対応する検出電圧が入力され、非反転入力端子６０ａには、調光信号が入力される。これにより、オペアンプ６０の出力端子６０ｃからは、検出電圧と調光信号との差分に対応した信号が出力される。オペアンプ６０は、例えば、差動増幅回路である。オペアンプ６０の出力端子６０ｃは、制御部１２と電気的に接続されている。オペアンプ６０の出力信号は、制御部１２に入力される。なお、上記とは反対に、非反転入力端子６０ａに検出電圧を入力し、反転入力端子６０ｂに調光信号を入力してもよい。
【００４６】
例えば、検出電圧が調光信号よりも大きくなるに従って、オペアンプ６０の出力も大きくなる。この場合、制御部１２は、オペアンプ６０から入力された信号を基に、負荷電流が小さくなるように、スイッチング素子４５のスイッチングを制御する。これにより、調光信号に応じた明るさで、照明負荷１０２を点灯させることができる。また、例えば、光源モジュール１００に流れる過電流などを抑制することもできる。
【００４７】
このように、この例において、信号生成部５２は、検出電圧と調光信号とを基に、制御信号を生成する。信号生成部５２は、例えば、検出電圧と調光信号との差分の信号を制御信号として生成する。制御信号は、検出電圧と調光信号との差分の信号に限ることなく、調光信号に応じた明るさで照明負荷１０２を点灯させることが可能な任意の信号でよい。信号生成部５２は、上記に限ることなく、制御信号を生成可能な任意の回路でよい。
【００４８】
切替スイッチ５４は、信号生成部５２の出力と電気的に接続されている。この例において、切替スイッチ５４は、オペアンプ６０の出力端子６０ｃと電気的に接続されている。切替スイッチ５４は、例えば、一対の主電極５４ａ、５４ｂと、制御電極５４ｃと、を有する。切替スイッチ５４は、オン・オフにより、各主電極５４ａ、５４ｂ間に流れる電流の量を切り替える。制御電極５４ｃは、オン・オフの切り替えに用いられる。オン状態は、各主電極５４ａ、５４ｂ間に電流が流れる状態である。オフ状態は、各主電極５４ａ、５４ｂ間に流れる電流がオン状態よりも小さい状態である。オフ状態では、各主電極５４ａ、５４ｂ間に実質的に電流が流れない。オフ状態では、点灯装置１０の動作に影響を及ぼさない程度の微弱な電流が、各主電極５４ａ、５４ｂ間に流れてもよい。
【００４９】
切替スイッチ５４には、例えば、半導体スイッチが用いられる。この例において、切替スイッチ５４は、ｎｐｎ型のバイポーラトランジスタである。切替スイッチ５４は、機械式のリレーなどでもよい。
【００５０】
主電極５４ａは、オペアンプ６０の出力端子６０ｃと電気的に接続されている。主電極５４ｂは、整流回路２６の低電位出力端子２６ｄと電気的に接続されている。これにより、切替スイッチ５４をオン状態にした場合には、信号生成部５２から出力される制御信号が、制御信号の最大値未満となる所定の電位に設定される。換言すれば、出力端子６０ｃの電位が、所定の電位に設定される。制御信号の電位は、例えば、低電位出力端子２６ｄの電位に設定される。
【００５１】
制御部１２は、制御回路７０と、駆動回路７１、７２と、を含む。制御部１２は、１チップ化された１つの集積回路で構成してもよいし、複数の集積回路を組み合わせて構成してもよい。制御回路７０及び駆動回路７１、７２は、１つの集積回路内に設けられた論理ブロックでもよいし、それぞれ独立した制御ＩＣでもよい。
【００５２】
駆動回路７１は、信号生成部５２及びスイッチング素子４５の電極４５ｃと電気的に接続されている。信号生成部５２から出力された制御信号は、駆動回路７１に入力される。駆動回路７１は、入力された制御信号に応じてスイッチング素子４５のスイッチングを制御する。すなわち、駆動回路７１は、電力供給部１６における直流電力への変換の処理を制御する。
【００５３】
駆動回路７２は、スイッチング素子４１の電極４１ｃと電気的に接続されている。駆動回路７２は、スイッチング素子４１のスイッチングを制御する。すなわち、駆動回路７２は、力率改善回路３２における力率改善の処理を制御する。
【００５４】
制御回路７０は、調光回路５０及び信号生成部５２と電気的に接続されている。制御回路７０は、調光回路５０から入力された調光信号を信号生成部５２に入力する。より詳しくは、制御回路７０は、非反転入力端子６０ａと電気的に接続されている。制御回路７０は、調光信号を非反転入力端子６０ａに入力する。
【００５５】
また、制御回路７０は、切替スイッチ５４の制御電極５４ｃと電気的に接続されている。制御回路７０は、切替スイッチ５４のオン・オフの切り替えを制御する。制御回路７０は、駆動回路７１がスイッチング素子４５のスイッチングを開始するタイミング（以下、開始タイミングと称す）から所定時間が経過するまで、切替スイッチ５４をオン状態にする。そして、制御回路７０は、開始タイミングから所定時間が経過した後、切替スイッチ５４をオフ状態にする。
【００５６】
これにより、開始タイミングから所定時間が経過するまでは、制御信号が最大値未満に設定される。すなわち、この例では、開始タイミングから所定時間が経過するまで制御信号を最大値未満に設定する信号制御部５６が、切替スイッチ５４と制御回路７０とを含む。
【００５７】
信号制御部５６は、例えば、開始タイミングにおいて、制御信号の中央値以下に制御信号を設定する。すなわち、信号制御部５６は、例えば、調光度を５０％に設定した時の値以下に制御信号を設定する。信号制御部５６は、例えば、開始タイミングにおいて、制御信号の最大値の１０％以下に制御信号を設定してもよい。信号制御部５６の設定する制御信号の値は、制御信号の最小値よりも大きく、制御信号の最大値よりも小さければよい。なお、制御信号の最小値とは、調光度を０％に設定した時の値である。信号制御部５６の設定する制御信号の値は、なるべく小さくすることが好ましい。例えば、最大値の１％以上１０％以下であることが好ましい。
【００５８】
開始タイミングは、例えば、点灯装置１０への電源投入時、及び、調光オフの解除時である。制御回路７０は、例えば、交流電源４などからの電源供給に応じて起動した時から所定時間が経過するまで、切替スイッチ５４をオン状態にする。制御回路７０は、例えば、調光オフの解除から所定時間が経過するまで、切替スイッチ５４をオン状態にする。すなわち、開始タイミングは、換言すれば、照明負荷１０２への電力供給を開始するタイミングである。ここで、「調光オフの解除時」とは、調光度を０％に設定して照明負荷１０２を消灯させた状態から、調光度を０％よりも大きく設定して照明負荷１０２を点灯させる時である。
【００５９】
制御回路７０は、例えば、電源供給に応じて起動した後、切替スイッチ５４をオン状態にする。制御回路７０は、例えば、電源供給に応じて起動した後、電源電圧検出回路３０の検出結果を基に電源投入を検知し、電源投入の検知後に切替スイッチ５４をオン状態にしてもよい。この場合には、例えば、制御回路７０が電源投入を検知した後に、駆動回路７１の動作を開始させる。
【００６０】
なお、切替スイッチ５４をノーマリオン型の素子とし、所定時間の経過の後に、切替スイッチ５４をオフ状態にしてもよい。これにより、例えば、電源投入時において、制御回路７０が起動していない状態でも、制御信号を適切に最大値未満に設定することができる。
【００６１】
点灯装置では、照明負荷への電力供給を開始して照明負荷を点灯させる際に、調光信号で設定された明るさよりも高い輝度で照明負荷が点灯してしまう場合がある。こうした閃光現象は、利用者に不快感を与えてしまう。
【００６２】
本願発明者は、上記閃光現象の原因が、信号生成部から出力される制御信号にあることを見出した。信号生成部に用いるオペアンプ（エラーアンプ）の仕様などにより、電力供給の開始時（スイッチングの開始タイミング）に、制御信号が最大値になってしまう場合がある。この場合、制御信号の値は、時間の経過とともに、最大値から調光信号に応じた値になる。すなわち、制御信号は、電力供給の開始時において、最小値から最大値に上昇した後、最大値から調光信号に応じた値に低下するといったように、変動する場合がある。本願発明者は、この電力供給の開始時における制御信号の変動により、閃光現象が生じることを見出した。
【００６３】
これに対して、本実施形態にかかる点灯装置１０では、信号制御部５６が、開始タイミングから所定時間が経過するまで、制御信号を最大値未満に設定する。点灯装置１０では、制御信号が変動している区間において、制御信号を最大値未満に設定することができる。点灯装置１０では、調光信号に応じた値になった制御信号を駆動回路７１に入力することができる。これにより、本実施形態にかかる点灯装置１０及び照明装置２００では、照明負荷１０２への電力供給を開始する際の、意図しない閃光現象の発生を抑制することができる。
【００６４】
例えば、マイコン等の高機能な制御素子を用いて、電力供給の開始時に電力供給部１６をソフトスタートさせることにより、電力供給の開始時に照明負荷１０２に流れる電流を抑える点灯装置もある。しかしながら、ソフトスタート動作が可能な制御素子は、比較的高価である。このため、例えば、点灯装置の製造コストの増加を招いてしまう。
【００６５】
これに対して、本実施形態にかかる点灯装置１０では、ソフトスタート動作を行わない安価な素子を用いても、閃光現象の発生を抑制することができる。従って、点灯装置１０では、例えば、製造コストを抑制することもできる。
【００６６】
制御信号を最大値未満に設定する所定時間は、例えば、０．１秒以上０．５秒以下である。制御信号を最大値未満に設定する所定時間は、制御信号の出力が安定するまでの時間に合わせて設定すればよい。すなわち、所定時間は、制御信号の変動している区間の時間よりも長ければよい。
【００６７】
（第２の実施形態）  
図２は、第２の実施形態に係る照明装置を模式的に表すブロック図である。  
図２に表したように、照明装置２１０の点灯装置８０では、信号制御部５６が、二次巻き線８１と、微分回路８２と、を含む。
【００６８】
二次巻き線８１は、電力供給部１６のインダクタ４７と磁気結合している。二次巻き線８１は、例えば、インダクタ４７とともにトランスを構成する。二次巻き線８１の一端は、整流回路２６の低電位出力端子２６ｄと電気的に接続されている。
【００６９】
微分回路８２は、二次巻き線８１とオペアンプ６０の反転入力端子６０ｂとの間に電気的に接続されている。微分回路８２は、コンデンサ８３と、抵抗８４と、を含む。コンデンサ８３の一端は、二次巻き線８１の他端と電気的に接続されている。コンデンサ８３の他端は、抵抗８４の一端と電気的に接続されている。抵抗８４の他端は、反転入力端子６０ｂと電気的に接続されている。
【００７０】
これにより、信号制御部５６は、スイッチング素子４５のスイッチングが開始され、インダクタ４７に流れる電流が増加する過渡的な区間において、オペアンプ６０の反転入力端子６０ｂに非反転入力端子６０ａよりも高い電圧を印加する。すなわち、開始タイミングにおいて、検出電圧が調光信号よりも高くなるようにする。
【００７１】
これにより、点灯装置８０においても、開始タイミングから所定時間が経過するまで、制御信号を最大値未満に設定することができる。より詳しくは、開始タイミングからインダクタ４７に流れる電流が実質的に一定になるまでの間、制御信号を最大値未満に設定することができる。
【００７２】
従って、点灯装置８０及び照明装置２１０においても、上記第１の実施形態と同様に、照明負荷１０２への電力供給を開始する際の、意図しない閃光現象の発生を抑制することができる。例えば、点灯装置８０の製造コストを抑制することができる。
【００７３】
（第３の実施形態）  
図３は、第３の実施形態に係る照明装置を模式的に表すブロック図である。  
図３に表したように、照明装置２２０の点灯装置９０では、信号制御部５６が、切替スイッチ５４と、二次巻き線８１と、微分回路８２と、を含む。
【００７４】
点灯装置９０の信号制御部５６では、抵抗８４の他端が、切替スイッチ５４の制御電極５４ｃと電気的に接続されている。これにより、信号制御部５６は、スイッチング素子４５のスイッチングが開始され、インダクタ４７に流れる電流が増加する過渡的な区間において、切替スイッチ５４をオン状態にする。
【００７５】
これにより、点灯装置９０においても、開始タイミングから所定時間が経過するまで、制御信号を最大値未満に設定することができる。従って、点灯装置９０及び照明装置２２０においても、上記第１の実施形態及び上記第２の実施形態と同様に、照明負荷１０２への電力供給を開始する際の、意図しない閃光現象の発生を抑制することができる。例えば、点灯装置８０の製造コストを抑制することができる。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７７】
４…交流電源、１０、８０、９０…点灯装置、１２…制御部、１４…接続部、１６…電力供給部、２４…フィルタ回路、２６…整流回路、２８…突入防止回路、３０…電源電圧検出回路、３２…力率改善回路、３４…平滑コンデンサ、３６…制御用電源回路、３８…出力コンデンサ、４１…スイッチング素子、４２…インダクタ、４３…ダイオード、４５…スイッチング素子、４６…ダイオード、４７…インダクタ、５０…調光回路、５２…信号生成部、５４…切替スイッチ、６０…オペアンプ、６２…電流検出抵抗、６３〜６６…抵抗、７０…制御回路、７１、７２…駆動回路、８１…二次巻き線、８２…微分回路、８３…コンデンサ、８４…抵抗、１００…光源モジュール、１０２…照明負荷、１０４…被接続部、１０６…光源、２００、２１０、２２０…照明装置
【図１】
2015144076.tif 000003
【図２】
2015144076.tif 000004
【図３】
2015144076.tif 000005